(57)【特許請求の範囲】
【請求項１】
プラントの構成要素をグラフィックスで表示するプラント情報表示システムにおいて、
前記グラフィックスの入力を受け付けるグラフィックス入力受付手段と、
前記構成要素の内部データを格納する内部データ格納手段と、
前記グラフィックス入力受付手段により入力された前記グラフィックスを表示するとともに、当該グラフィックスに含まれる前記構成要素の内部データを前記内部データ格納手段から取得し、当該グラフィックス上に重ねて表示する表示手段と、
前記表示手段により表示された当該内部データの検査結果を前記表示手段による表示画面上で受け付け、登録する検査結果登録手段と、
を備えることを特徴とするプラント情報表示システム。
【請求項２】
前記検査結果登録手段により検査結果を受け付けると、前記表示手段は、当該グラフィックス上の当該構成要素の表示に当該検査結果を反映させることを特徴とする請求項１に記載のプラント情報表示システム。
【請求項３】
プラントの構成要素を登録する構成要素登録手段と、
前記表示手段により表示された前記構成要素、および前記構成要素登録手段に登録された前記構成要素の間の整合性を検査する整合性検査手段と、
を備えることを特徴とする請求項１または２に記載のプラント情報表示システム。
【請求項４】
プラントの構成要素をグラフィックスで表示するプラント情報表示方法において、
前記グラフィックスの入力を受け付けるステップと、
前記構成要素の内部データを格納するステップと、
前記グラフィックスの入力を受け付けるステップにより入力された前記グラフィックスを表示するとともに、前記格納するステップにより格納された、当該グラフィックスに含まれる前記構成要素の内部データを取得し、当該グラフィックス上に重ねて表示するステップと、
前記表示するステップにより表示された当該内部データの検査結果を前記表示するステップによる表示画面上で受け付け、登録するステップと、
を備えることを特徴とするプラント情報表示方法。
【発明の詳細な説明】
【技術分野】
【０００１】
本発明は、プラントの構成要素をグラフィックスで表示するプラント情報表示システムおよびプラント情報表示方法に関する。
【背景技術】
【０００２】
プラントの主なライン、タンク、ポンプ、調整弁等の状態をグラフィックにより描くツールが開発されている。このツールは、原料の流れ、ポンプなどの機器の稼働状況、タンク内容量、圧力、温度等をグラフィカルに表現することで、プラント操業時にプラントの操作・監視を行うオペレータに対して必要な情報を与えるものである。このような表示をさせるために、エンジニアは表示条件や内部データを設定する作業を行う。
【０００３】
この作業では、ポンプ、バルブ等の円や四角形のパーツをレイアウト上に表示させる。レイアウト上に配置されるとパーツは実態を持つためオブジェクトとなる。エンジニアは各オブジェクトに対してタグ名やモディファイ式などの内部データを入力し、定義ファイルとして保管する。このような定義ファイルの内部データは、印刷出力することで机上検査での確認に付される。
【特許文献１】特開２００４−４６５８５号公報
【発明の開示】
【発明が解決しようとする課題】
【０００４】
しかし、エンジニアが入力した内部データに誤り（例えば、タグ名やモディファイ式の誤り）があると、オペレータは判断を誤り、プロセスの異常の見逃しやプロセス異常時の対処ミス等を招く。エンジニアが入力する内部データは、例えばポンプ等の機器を表現する絵情報では表示されないデータであり、グラフィックを見ただけでは誤りに気付かない。このため、データ入力の誤りを排除するためにエンジニアは机上検査に多くの工数をかけており、机上検査が大きな作業負担となっている。
【０００５】
例えば、パイプおよび機器主体のグラフィックでは、配置したオブジェクトだけで数千点にもなり、その内部データを印刷すると印刷シートが数十枚にもなる。エンジニアはその印刷シートとモニタの画面を見ながらオブジェクト一点一点の内部データの定義内容を確認している。机上検査にモニタの画面を使用する理由は、印刷されているパーツの座標を画面上で確認するためである。
【０００６】
このように、机上検査では、コンピュータの画面と印刷物の両方を目視で交互に確認する必要があり、大きな作業負担となる。また、画面上で目的のパーツの座標を確認するには、グラフィックを拡大表示させて実際の場所を特定するしかなく、極めて煩雑な作業を強いられている。また、エンドユーザ（グラフィック作成依頼者、一般的にはプラントオーナー等）は机上検査の検査実績を求めるため、エンジニアは印刷物の画像イメージ上で確認済みのオブジェクトを塗りつぶし、検査した日付を別シートに記載するなどの作業を手作業で行っており、この作業にもかなりの工数を要する。
【０００７】
本発明の目的は、内部データの確認作業の負担等を軽減できるプラント情報表示システムおよびプラント情報表示方法を提供することにある。
【課題を解決するための手段】
【０００８】
本発明のプラント情報表示システムは、プラントの構成要素をグラフィックスで表示するプラント情報表示システムにおいて、前記グラフィックスの入力を受け付けるグラフィックス入力受付手段と、前記構成要素の内部データを格納する内部データ格納手段と、前記グラフィックス入力受付手段により入力された前記グラフィックスを表示するとともに、当該グラフィックスに含まれる前記構成要素の内部データを前記内部データ格納手段から取得し、当該グラフィックス上に重ねて表示する表示手段と、前記表示手段により表示された当該内部データの検査結果を前記表示手段による表示画面上で受け付け、登録する検査結果登録手段と、を備えることを特徴とする。
このプラント情報表示システムによれば、グラフィックスに含まれる構成要素の内部データを取得し、当該グラフィックス上に重ねて表示するので、グラフィックスにより表現されない内部データを、画面上で容易にオブジェクトと対応付けて把握できる。また、内部データの検査結果を表示画面上で受け付け、登録するので、登録のための手作業が不要となる。
【０００９】
前記検査結果登録手段により検査結果を受け付けると、前記表示手段は、当該グラフィックス上の当該構成要素の表示に当該検査結果を反映させてもよい。
【００１０】
プラントの構成要素を登録する構成要素登録手段と、前記表示手段により表示された前記構成要素、および前記構成要素登録手段に登録された前記構成要素の間の整合性を検査する整合性検査手段と、を備えてもよい。
【００１１】
本発明のプラント情報表示方法は、プラントの構成要素をグラフィックスで表示するプラント情報表示方法において、前記グラフィックスの入力を受け付けるステップと、前記構成要素の内部データを格納するステップと、前記グラフィックスの入力を受け付けるステップにより入力された前記グラフィックスを表示するとともに、前記格納するステップにより格納された、当該グラフィックスに含まれる前記構成要素の内部データを取得し、当該グラフィックス上に重ねて表示するステップと、前記表示するステップにより表示された当該内部データの検査結果を前記表示するステップによる表示画面上で受け付け、登録するステップと、を備えることを特徴とする。
このプラント情報表示方法によれば、グラフィックスに含まれる構成要素の内部データを取得し、当該グラフィックス上に重ねて表示するので、グラフィックスにより表現されない内部データを、画面上で容易にオブジェクトと対応付けて把握できる。また、内部データの検査結果を表示画面上で受け付け、登録するので、登録のための手作業が不要となる。
【発明の効果】
【００１２】
本発明のプラント情報表示システムによれば、グラフィックスに含まれる構成要素の内部データを取得し、当該グラフィックス上に重ねて表示するので、グラフィックスにより表現されない内部データを、画面上で容易にオブジェクトと対応付けて把握できる。また、内部データの検査結果を表示画面上で受け付け、登録するので、登録のための手作業が不要となる。
【００１３】
本発明のプラント情報表示方法によれば、グラフィックスに含まれる構成要素の内部データを取得し、当該グラフィックス上に重ねて表示するので、グラフィックスにより表現されない内部データを、画面上で容易にオブジェクトと対応付けて把握できる。また、内部データの検査結果を表示画面上で受け付け、登録するので、登録のための手作業が不要となる。
【発明を実施するための最良の形態】
【００１４】
以下、図１〜図５を参照して、本発明によるプラント情報表示システムの一実施形態について説明する。
【００１５】
図１は、本実施形態のプラント情報表示システムの構成を示すブロック図である。
【００１６】
図１に示すように、プラントの管理用端末装置１は、グラフィックスの入力を受け付けるグラフィックス入力受付手段１１と、プラントの構成要素であるオブジェクトの内部データの入力を格納する内部データ格納手段１２と、グラフィックス入力受付手段１１により入力されたグラフィックスをモニタ１６に表示するとともに、当該グラフィックスに含まれるオブジェクトの内部データを内部データ格納手段１２から取得し、当該グラフィックス上に重ねて表示する表示手段１３と、表示手段１３により表示された当該内部データの検査結果を表示手段１３による表示画面上で受け付け、登録する検査結果登録手段１４と、表示手段１３により表示されたオブジェクト、および構成要素登録手段２に登録されたオブジェクトの間の整合性を検査する整合性検査手段１５と、を構成する。
【００１７】
構成要素登録手段２には、プラントのタグが、タグリストとして予め登録されている。タグは個々のオブジェクトに対応する機器等を示す。
【００１８】
次に、本実施形態のプラント情報表示システムの動作について説明する。
【００１９】
図２は、表示手段１３によってモニタ１６に表示される表示画面のレイヤ機能を示す図である。図２に示すように、モニタ１６に表示される画面レイヤとして、作画レイヤ（作画レイヤ５１および作画レイヤ５２）と、机上検査レイヤ５３とが用意されており、各レイヤを重ね合わせることで表示結果５４を得ることができる。グラフィックス入力受付手段１１によるグラフィックスの入力時には、作画レイヤを表示させ、ポンプ、バルブ等の円や四角形のパーツをレイアウトする。レイアウト上に配置されるとパーツは実態を持つためオブジェクトとなる。
【００２０】
図３は、プラントの構成要素としてのオブジェクトに対して、タグ名やモディファイ式などの内部データを入力する際のモニタ１６の表示画面を示す図である。図３では、作画レイヤが表示されており、画面上でオブジェクト５５（図２では調整弁）を選択すると、入力ダイアログ５６が表示される。入力ダイアログ５６に示されるタブ５６ａ〜５６ｄを順次選択することで、図形モディファイ、座標モディファイ、機能、汎用名等をそれぞれ入力できる。入力されたすべての内部データはオブジェクト（タグ）と対応付けられて内部データ格納手段１２に格納される。
【００２１】
図４は、グループ設定機能を示す図である。本実施形態のプラント情報表示システムでは、エンジニアが複数のオブジェクトをまとめて１つのグループに設定できるように、グループ設定機能が設けられている。
【００２２】
図４の例では、作画レイヤ５２の複数の機器（オブジェクト）をグループとして設定した表示例を示している。図５に示すように、机上検査レイヤ５３（図２）には、グループ枠で囲われたグループオブジェクトの表示領域６１が表示される。これにより、表示領域６１内に表示されたオブジェクト番号「３２」、「２４」、「１８」に対応する各機器が、表示領域６２に示されるオブジェクト番号（図５では、オブジェクト番号「１０２」）のグループに設定されていることが表現される。
【００２３】
図５は、机上検査モードでの画面表示例を示す図であり、表示手段１３の機能を示している。エンジニアが机上検査モードを選択すると、図２の机上検査レイヤ５３がアクティブになる。さらに、机上検査レイヤ５３に表示されたグループのオブジェクト番号６２をダブルクリックすると、表示手段１３により内部データ格納手段１２から当該グループオブジェクトの内部データが取得され、机上検査ダイアログ６３およびタグリストダイアログ６４が呼び出される。
【００２４】
図５に示すように、机上検査ダイアログ６３には選択されたグループに属するオブジェクトの内部データが表示される。領域６３ａに表示されているのは、各オブジェクトのオブジェクト番号である。本実施形態では、机上検査ダイアログ６３内に、作画レイヤ５２のグラフィックにおいて左上から右下に位置する順にオブジェクトの内部データが順次、一覧表示される。これにより、視点移動が少なくなり、検査時の負担を軽減することができる。これに対して、例えばオブジェクト番号順に表示したとすると、一覧表示で隣り合って並んでいるオブジェクト間のグラフィック画面における位置移動が大きくなり、検査時の負担が大きくなる。本実施形態によれば、エンジニアは常に画面の左上から右下の順に、各オブジェクトに定義されている内部データを検査することができる。なお、モディファイ条件式に使用しているオブジェクトの名前は、データ入力時に与えられた汎用名ではなく、初期値（タグ名）に変換して表示される。このため、具体的なタグ名を用いて表現されたモディファイ条件式による検査ができるため、その当否の確認が容易となる。
【００２５】
グループ内のオブジェクトの検査がすべて終了すると、エンジニアは机上検査ダイアログ６３内のチェック入力欄６３ｂに確認済みのチェックを施す。チェック入力欄６３ｂがチェックされると、表示手段１３により、机上検査レイヤ５３上で、対応するグループオブジェクトの表示領域６１が塗り潰される。このように、グラフィックス上の当該オブジェクトの表示に当該検査結果が反映される。図５において、領域６１Ａ〜６１Ｃは、それぞれ既に塗り潰された表示領域を示している。
【００２６】
また、チェック入力欄６３ｂがチェックされると、検査結果登録手段１４により、当該オブジェクトが確認済みのオブジェクトとして登録される。この登録内容は、確認済みのオブジェクト、検査したエンジニア名、検査日時を含んでおり、エンドユーザに提出できるフォーマットで印刷可能なデータとして記録される。データは印刷装置３により印刷される。
【００２７】
このように、チェック入力欄６３ｂへのチェックのみで、検査済みのオブジェクトが必要な検査情報とともに記録されるため、エンジニアの負担が軽減されるとともに登録内容の誤りも防止できる。また、検査済みのオブジェクトは画面上で塗り潰されるため、チェックのための手作業も不要となるとともに、画面上での確認により容易にチェック漏れを防ぐことができる。
【００２８】
一方、タグリストダイアログ６４には、構成要素登録手段２のタグリストに登録されているタグを当該グラフィックで使用しているか否かを表示する。タグリストダイアログ６４のタブ６４ａにはタグリストに登録されているタグのうち当該グラフィックで使用されているタグを、タブ６４ｂにはタグリストに登録されているタグのうち当該グラフィックで使用されていないタグを、それぞれ一覧表示する。この機能は整合性検査手段１５に基づくものである。
【００２９】
また、タグリストに登録されていないタグがグラフィックで使用されている場合には、机上検査ダイアログ６３に一覧表示されるタグのタグ名（初期値）に“＊”を付して、その旨を表示する。図５の例では、タグ名の表示領域６３ｃにおいて、当該タグがタグリストに未登録である旨が示されている。この機能は整合性検査手段１５に基づくものである。
【００３０】
さらに、整合性検査手段１５は個々のタグの詳細情報（レンジ、工業単位、タグ名）について、内部データとタグリストとの間での整合性を検査し、一致しない内容を画面上に表示できる。
【００３１】
このように整合性検査手段１５によって、グラフィックスで使用されているオブジェクトと、タグリストに登録されているタグとの整合性が自動的に検査され、検査結果が画面に表示されるため、エンジニアの作業負担を大幅に軽減できる。
【００３２】
以上のように、本実施形態のプラント情報表示システムによれば、各オブジェクトについてグラフィックと内部データとを共通の画面上に表示するので、グラフィックスにより表現されない内部データを、画面上で容易にオブジェクトと対応付けて把握できる。したがって、本実施形態のプラント情報表示システムによれば、検査時に紙印刷不要のインタフェースを提供できる。また、本発明のプラント情報表示システムは、オブジェクトについての情報が内部に隠されているようなデータを取り扱う場合にとくに好適である。
【００３３】
また、検査済みの範囲をグラフィックの画面上で容易に確認できるとともに、確認検査結果を検査者や検査日時とともに印刷可能なデータとして記録するため、この記録を確認済みのエビデンスとして使用できる。
【００３４】
以上説明したように、本発明のプラント情報表示システムによれば、グラフィックスに含まれる構成要素の内部データを取得し、当該グラフィックス上に重ねて表示するので、グラフィックスにより表現されない内部データを、画面上で容易にオブジェクトと対応付けて把握できる。また、内部データの検査結果を表示画面上で受け付け、登録するので、登録のための手作業が不要となる。
【００３５】
本発明の適用範囲は上記実施形態に限定されることはない。本発明は、プラントの構成要素をグラフィックスで表示するプラント情報表示システムおよびプラント情報表示方法に対し、広く適用することができる。
【図面の簡単な説明】
【００３６】
【図１】一実施形態のプラント情報表示システムの構成を示すブロック図。
【図２】表示手段による表示画面のレイヤ機能を示す図。
【図３】内部データを入力する際におけるモニタの表示画面を示す図。
【図４】グループ設定機能を示す図。
【図５】グループオブジェクトの表示形態を示す図。
【符号の説明】
【００３７】
２      構成要素登録手段
１１    グラフィックス入力受付手段
１２    内部データ格納手段
１３    表示手段
１４    検査結果登録手段
１５    整合性検査手段
【図１】
0004900303.tif 000002
【図５】
0004900303.tif 000003
【図２】
0004900303.tif 000004
【図３】
0004900303.tif 000005
【図４】
0004900303.tif 000006